(57)【特許請求の範囲】
【請求項１】
アップリンク送信のためのシグナリングを通信するための方法であって、
コードブックを使用して少なくとも１つのランク指示（ＲＩ）と少なくとも１つのプリコーディング行列インジケータ（ＰＭＩ）とをジョイントコーディングすることと、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
前記ジョイントコーディングされたＲＩとＰＭＩとをアクセス端末に送信することと
を備える方法。
【請求項２】
前記ＲＩが、コンポーネントキャリアごとに前記ＰＭＩとジョイントコーディングされる、請求項１に記載の方法。
【請求項３】
ジョイントコーディングすることが、コンポーネントキャリアごとに複数のＰＭＩと前記ＲＩとをジョイント符号化することをさらに備える、請求項１に記載の方法。
【請求項４】
アップリンク送信のためのシグナリングを通信するための方法であって、
ジョイント符号化されたランク指示（ＲＩ）とプリコーディング行列インジケータ（ＰＭＩ）とを受信することと、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
ＲＩとＰＭＩとを判断するために、コードブックを使用して前記ジョイント符号化されたＲＩとＰＭＩとを復号することと、
前記判断されたＲＩとＰＭＩとをアップリンク送信において使用することと
を備える方法。
【請求項５】
前記判断されたＲＩとＰＭＩとが、コンポーネントキャリアごとの複数のＰＭＩと、コンポーネントキャリアごとの少なくとも１つのＲＩとを備える、請求項４に記載の方法。
【請求項６】
コードブックを使用して少なくとも１つのランク指示（ＲＩ）と少なくとも１つのプリコーディング行列インジケータ（ＰＭＩ）とをジョイントコーディングするための論理と、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
前記ジョイントコーディングされたＲＩとＰＭＩとをアクセス端末に送信するための論理と
を備える、ワイヤレス通信のための装置。
【請求項７】
前記ＲＩが、コンポーネントキャリアごとに前記ＰＭＩとジョイントコーディングされる、請求項６に記載の装置。
【請求項８】
ジョイントコーディングするための前記論理が、コンポーネントキャリアごとに複数のＰＭＩと前記ＲＩとをジョイント符号化するための論理をさらに備える、請求項６に記載の装置。
【請求項９】
ジョイント符号化されたランク指示（ＲＩ）とプリコーディング行列インジケータ（ＰＭＩ）とを受信するための論理と、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
ＲＩとＰＭＩとを判断するために、コードブックを使用して前記ジョイント符号化されたＲＩとＰＭＩとを復号するための論理と、
前記判断されたＲＩとＰＭＩとをアップリンク送信において使用するための論理と
を備える、ワイヤレス通信のための装置。
【請求項１０】
前記判断されたＲＩとＰＭＩとが、コンポーネントキャリアごとの複数のＰＭＩと、コンポーネントキャリアごとの少なくとも１つのＲＩとを備える、請求項９に記載の装置。
【請求項１１】
コードブックを使用して少なくとも１つのランク指示（ＲＩ）と少なくとも１つのプリコーディング行列インジケータ（ＰＭＩ）とをジョイントコーディングするための手段と、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
前記ジョイントコーディングされたＲＩとＰＭＩとをアクセス端末に送信するための手段と
を備える、ワイヤレス通信のための装置。
【請求項１２】
前記ＲＩが、コンポーネントキャリアごとに前記ＰＭＩとジョイントコーディングされる、請求項１１に記載の装置。
【請求項１３】
ジョイントコーディングするための前記手段が、コンポーネントキャリアごとに複数のＰＭＩと前記ＲＩとをジョイント符号化するための手段をさらに備える、請求項１１に記載の装置。
【請求項１４】
ジョイント符号化されたランク指示（ＲＩ）とプリコーディング行列インジケータ（ＰＭＩ）とを受信するための手段と、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
ＲＩとＰＭＩとを判断するために、コードブックを使用して前記ジョイント符号化されたＲＩとＰＭＩとを復号するための手段と、
前記判断されたＲＩとＰＭＩとをアップリンク送信において使用するための手段と
を備える、ワイヤレス通信のための装置。
【請求項１５】
前記判断されたＲＩとＰＭＩとが、
コンポーネントキャリアごとの複数のＰＭＩと、コンポーネントキャリアごとの少なくとも１つのＲＩとを備える、請求項１４に記載の装置。
【請求項１６】
命令が記憶されたコンピュータ読み取り可能な記録媒体であって、前記命令が、１つまたは複数のプロセッサによって実行可能である命令であり、前記命令が、
コードブックを使用して少なくとも１つのランク指示（ＲＩ）と少なくとも１つのプリコーディング行列インジケータ（ＰＭＩ）とをジョイントコーディングするための命令と、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
前記ジョイントコーディングされたＲＩとＰＭＩとをアクセス端末に送信するための命令と
を備える、コンピュータ読み取り可能な記録媒体。
【請求項１７】
前記ＲＩが、コンポーネントキャリアごとに前記ＰＭＩとジョイントコーディングされる、請求項１６に記載のコンピュータ読み取り可能な記録媒体。
【請求項１８】
ジョイントコーディングするための前記命令が、コンポーネントキャリアごとに複数のＰＭＩと前記ＲＩとをジョイントコーディングするための命令をさらに備える、請求項１６に記載のコンピュータ読み取り可能な記録媒体。
【請求項１９】
命令が記憶されたコンピュータ読み取り可能な記録媒体であって、前記命令が、１つまたは複数のプロセッサによって実行可能である命令であり、前記命令が、
ジョイント符号化されたランク指示（ＲＩ）とプリコーディング行列インジケータ（ＰＭＩ）とを受信するための命令と、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
ＲＩとＰＭＩとを判断するために、コードブックを使用して前記ジョイント符号化されたＲＩとＰＭＩとを復号するための命令と、
前記判断されたＲＩとＰＭＩとをアップリンク送信において使用するための命令と
を備える、ワイヤレス通信のためのコンピュータ読み取り可能な記録媒体。
【請求項２０】
前記判断されたＲＩとＰＭＩとが、コンポーネントキャリアごとの複数のＰＭＩと、コンポーネントキャリアごとの少なくとも１つのＲＩとを備える、請求項１９に記載のコンピュータ読み取り可能な記録媒体。
【請求項２１】
コードブックを使用して少なくとも１つのランク指示（ＲＩ）と少なくとも１つのプリコーディング行列インジケータ（ＰＭＩ）とをジョイントコーディングすることと、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
前記ジョイントコーディングされたＲＩとＰＭＩとをアクセス端末に送信することと
を行うように構成された少なくとも１つのプロセッサと、
前記少なくとも１つのプロセッサに結合されたメモリと
を備える、ワイヤレス通信のための装置。
【請求項２２】
前記ＲＩが、コンポーネントキャリアごとに前記ＰＭＩとジョイントコーディングされる、請求項２１に記載の装置。
【請求項２３】
ジョイントコーディングすることが、コンポーネントキャリアごとに複数のＰＭＩと前記ＲＩとをジョイント符号化することをさらに備える、請求項２１に記載の装置。
【請求項２４】
ジョイント符号化されたランク指示（ＲＩ）とプリコーディング行列インジケータ（ＰＭＩ）とを受信することと、ここで、コンポーネントキャリアごとに複数のＰＭＩと単一のランクとが採用され、ここで、ＰＭＩは、ランクと、関連するプリコーディングベクトル／行列とを示しており、そして、ここでは、差動ＰＭＩシグナリングが採用されている、
ＲＩとＰＭＩとを判断するために、コードブックを使用して前記ジョイント符号化されたＲＩとＰＭＩとを復号することと、
前記判断されたＲＩとＰＭＩとをアップリンク送信において使用することと
を行うように構成された少なくとも１つのプロセッサと、
前記少なくとも１つのプロセッサに結合されたメモリと
を備える、ワイヤレス通信のための装置。
【請求項２５】
前記判断されたＲＩとＰＭＩとが、コンポーネントキャリアごとの複数のＰＭＩと、コンポーネントキャリアごとの少なくとも１つのＲＩとを備える、請求項２４に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００９年４月２３日に出願された仮出願第６１／１７２，１４５号の利益を主張する。
【０００２】
本開示のいくつかの態様は、一般にワイヤレス通信に関し、より詳細には、アップリンク送信のためのアクセスポイントにおいてチャネルフィードバックを報告するための方法に関する。
【背景技術】
【０００３】
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３rd  Ｇｅｎｅｒａｔｉｏｎ  Ｐａｒｔｎｅｒｓｈｉｐ  Ｐｒｏｊｅｃｔ  （第3世代パートナーシッププロジェクト；３ＧＰＰ）Ｌｏｎｇ  Ｔｅｒｍ  Ｅｖｏｌｕｔｉｏｎ（長期間展開；ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
ＭＩＭＯシステムは、データ送信用の複数（ＮT）個の送信アンテナおよび複数（ＮR）個の受信アンテナを使用する。ＮT個の送信アンテナおよびＮR個の受信アンテナによって形成されたＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
ＭＩＭＯシステムは時分割複信（ＴＤＤ）および周波数分割複信（ＦＤＤ）システムをサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【０００７】
ＬＴＥでは、送信ダイバーシティ、ビームフォーミング、空間多重化などのためにＭＩＭＯシステムが採用され得る。一般に、そのようなＭＩＭＯ動作は、ＡＰからＡＴへのダウンリンク送信上で採用され得るが、ＬＴＥ−Ａｄｖａｎｃｅｄなどの高度通信システムは、アップリンク上でもＭＩＭＯ動作を採用することを企図する。したがって、アップリンクＭＩＭＯ動作のためのシグナリングを通信するための技法が必要である。
【発明の概要】
【０００８】
いくつかの態様は、アップリンク送信のためのシグナリングを通信するための方法を提供する。本方法は、概して、コードブックを使用して少なくとも１つのランク指示（ＲＩ）と少なくとも１つのプリコーディング行列インジケータ（ＰＭＩ）とをジョイントコーディングすることと、ジョイント符号化されたＲＩとＰＭＩとをアクセス端末に送信することとを含む。
【０００９】
いくつかの態様は、アップリンク送信のためのシグナリングを通信するための方法を提供する。本方法は、概して、ジョイント符号化されたランク指示（ＲＩ）とプリコーディング行列インジケータ（ＰＭＩ）とを受信することと、ＲＩとＰＭＩとを判断するためにコードブックを使用してジョイント符号化されたＲＩとＰＭＩとを復号することと、判断されたＲＩとＰＭＩとをアップリンク送信において使用することと含む。
【００１０】
いくつかの態様は、アップリンク送信のためのシグナリングを通信する方法を提供する。本方法は、概して、アンプリコード基準信号（ＲＳ）を生成することと、チャネル送信中にランク指示（ＲＩ）を含めることと、ＲＳとチャネル送信とをアクセス端末に送信することとを含む。
【００１１】
いくつかの態様は、アップリンク送信のためのシグナリングを通信する方法を提供する。本方法は、概して、アンプリコード基準信号（ＲＳ）を受信することと、ランク指示（ＲＩ）を備えるチャネル送信を受信することと、受信されたＲＳからＰＭＩを検出することと、受信されたチャネル送信からＲＩを検出することと、検出されたＰＭＩとＲＩとをアップリンク送信において利用することとを含む。
【００１２】
いくつかの態様は、ダウンリンク送信のためのシグナリングを通信する方法を提供する。本方法は、概して、プリコーディング行列インジケータ（ＰＭＩ）を備えるユーザ機器（ＵＥ）固有基準信号（ＲＳ）を生成することと、チャネル送信中にランク指示（ＲＩ）を含めることと、ＵＥ固有ＲＳとチャネル送信とをアクセス端末に送信することとを含む。
【００１３】
いくつかの態様は、ダウンリンク送信のためのシグナリングを通信する方法を提供する。本方法は、概して、プリコーディング行列インジケータ（ＰＭＩ）を備えるユーザ機器（ＵＥ）固有基準信号（ＲＳ）を受信することと、ランク指示（ＲＩ）を備えるチャネル送信を受信することと、受信されたＵＥ固有ＲＳからＰＭＩを検出することと、受信されたチャネル送信からＲＩを検出することと、検出されたＰＭＩとＲＩとをアップリンク送信において利用することとを含む。
【００１４】
いくつかの態様は、ワイヤレス通信のための装置を提供する。本装置は、概して、コードブックを使用して少なくとも１つのランク指示（ＲＩ）と少なくとも１つのプリコーディング行列インジケータ（ＰＭＩ）とをジョイントコーディングするための論理と、ジョイント符号化されたＲＩとＰＭＩとをアクセス端末に送信するための論理とを含む。
【００１５】
いくつかの態様は、ワイヤレス通信のための装置を提供する。本装置は、概して、ジョイント符号化されたランク指示（ＲＩ）とプリコーディング行列インジケータ（ＰＭＩ）とを受信するための論理と、ＲＩとＰＭＩとを判断するためにコードブックを使用してジョイント符号化されたＲＩとＰＭＩとを復号するための論理と、判断されたＲＩとＰＭＩとをアップリンク送信において使用するための論理とを含む。
【００１６】
いくつかの態様は、ワイヤレス通信のための装置を提供する。本装置は、概して、アンプリコード基準信号（ＲＳ）を生成するための論理と、チャネル送信中にランク指示（ＲＩ）を含めるための論理と、アンプリコードＲＳとチャネル送信とをアクセス端末に送信するための論理とを含む。
【００１７】
いくつかの態様は、ワイヤレス通信のための装置を提供する。本装置は、概して、アンプリコード基準信号（ＲＳ）を受信するための論理と、ランク指示（ＲＩ）を備えるチャネル送信を受信するための論理と、受信されたアンプリコードＲＳからプリコーディング行列インジケータ（ＰＭＩ）を判断するための論理と、受信されたチャネル送信からＲＩを検出するための論理と、判断されたＰＭＩと検出されたＲＩとをアップリンク送信において使用するための論理とを含む。
【００１８】
いくつかの態様は、ワイヤレス通信のための装置を提供する。本装置は、概して、プリコーディング行列インジケータ（ＰＭＩ）を備えるユーザ機器（ＵＥ）固有基準信号（ＲＳ）を生成するための論理と、チャネル送信中にランク指示（ＲＩ）を含めるための論理と、ＵＥ固有ＲＳとチャネル送信とをアクセス端末に送信するための論理とを含む。
【００１９】
いくつかの態様は、ワイヤレス通信のための装置を提供する。本装置は、概して、プリコーディング行列インジケータ（ＰＭＩ）を備えるユーザ機器（ＵＥ）固有基準信号（ＲＳ）を受信するための論理と、ランク指示（ＲＩ）を備えるチャネル送信を受信するための論理と、受信されたＵＥ固有ＲＳからＰＭＩを検出するための論理と、受信されたチャネル送信からＲＩを検出するための論理と、検出されたＰＭＩとＲＩとをアップリンク送信において利用するための論理とを含む。
【００２０】
いくつかの態様は、ワイヤレス通信のための装置を提供する。本装置は、概して、コードブックを使用して少なくとも１つのランク指示（ＲＩ）と少なくとも１つのプリコーディング行列インジケータ（ＰＭＩ）とをジョイントコーディングするための手段と、ジョイント符号化されたＲＩとＰＭＩとをアクセス端末に送信するための手段とを含む。
【００２１】
いくつかの態様は、ワイヤレス通信のための装置を提供する。本装置は、概して、ジョイント符号化されたランク指示（ＲＩ）とプリコーディング行列インジケータ（ＰＭＩ）とを受信するための手段と、ＲＩとＰＭＩとを判断するためにコードブックを使用してジョイント符号化されたＲＩとＰＭＩとを復号するための手段と、判断されたＲＩとＰＭＩとをアップリンク送信において使用するための手段とを含む。
【００２２】
いくつかの態様は、ワイヤレス通信のための装置を提供する。本装置は、概して、アンプリコード基準信号（ＲＳ）を生成するための手段と、チャネル送信中にランク指示（ＲＩ）を含めるための手段と、アンプリコードＲＳとチャネル送信とをアクセス端末に送信するための手段とを含む。
【００２３】
いくつかの態様は、ワイヤレス通信のための装置を提供する。本装置は、概して、アンプリコード基準信号（ＲＳ）を受信するための手段と、ランク指示（ＲＩ）を備えるチャネル送信を受信するための手段と、受信されたアンプリコードＲＳからプリコーディング行列インジケータ（ＰＭＩ）を判断するための手段と、受信されたチャネル送信からＲＩを検出するための手段と、判断されたＰＭＩと検出されたＲＩとをアップリンク送信において使用するための手段とを含む。
【００２４】
いくつかの態様は、ワイヤレス通信のための装置を提供する。本装置は、概して、プリコーディング行列インジケータ（ＰＭＩ）を備えるユーザ機器（ＵＥ）固有基準信号（ＲＳ）を生成するための手段と、チャネル送信中にランク指示（ＲＩ）を含めるための手段と、ＵＥ固有ＲＳとチャネル送信とをアクセス端末に送信するための手段とを含む。
【００２５】
いくつかの態様は、ワイヤレス通信のための装置を提供する。本装置は、概して、プリコーディング行列インジケータ（ＰＭＩ）を備えるユーザ機器（ＵＥ）固有基準信号（ＲＳ）を受信するための手段と、ランク指示（ＲＩ）を備えるチャネル送信を受信するための手段と、受信されたＵＥ固有ＲＳからＰＭＩを検出するための手段と、受信されたチャネル送信からＲＩを検出するための手段と、検出されたＰＭＩとＲＩとをアップリンク送信において利用するための手段とを含む。
【００２６】
いくつかの態様は、１つまたは複数のプロセッサによって実行可能である命令が記憶されたコンピュータ可読媒体を備える、ワイヤレス通信のためのコンピュータプログラム製品を提供する。本命令は、概して、コードブックを使用して少なくとも１つのランク指示（ＲＩ）と少なくとも１つのプリコーディング行列インジケータ（ＰＭＩ）とをジョイントコーディングするための命令と、ジョイント符号化されたＲＩとＰＭＩとをアクセス端末に送信するための命令とを含む。
【００２７】
いくつかの態様は、１つまたは複数のプロセッサによって実行可能である命令が記憶されたコンピュータ可読媒体を備える、ワイヤレス通信のためのコンピュータプログラム製品を提供する。本命令は、概して、ジョイント符号化されたランク指示（ＲＩ）とプリコーディング行列インジケータ（ＰＭＩ）とを受信するための命令と、ＲＩとＰＭＩとを判断するためにコードブックを使用してジョイント符号化されたＲＩとＰＭＩとを復号するための命令と、判断されたＲＩとＰＭＩとをアップリンク送信において使用するための命令とを含む。
【００２８】
いくつかの態様は、１つまたは複数のプロセッサによって実行可能である命令が記憶されたコンピュータ可読媒体を備える、ワイヤレス通信のためのコンピュータプログラム製品を提供する。本命令は、概して、アンプリコード基準信号（ＲＳ）を生成するための命令と、チャネル送信中にランク指示（ＲＩ）を含めるための命令と、アンプリコードＲＳとチャネル送信とをアクセス端末に送信するための命令とを含む。
【００２９】
いくつかの態様は、１つまたは複数のプロセッサによって実行可能である命令が記憶されたコンピュータ可読媒体を備える、ワイヤレス通信のためのコンピュータプログラム製品を提供する。本命令は、概して、アンプリコード基準信号（ＲＳ）を受信するための命令と、ランク指示（ＲＩ）を備えるチャネル送信を受信するための命令と、受信されたアンプリコードＲＳからプリコーディング行列インジケータ（ＰＭＩ）を判断するための命令と、受信されたチャネル送信からＲＩを検出するための命令と、判断されたＰＭＩと検出されたＲＩとをアップリンク送信において使用するための命令とを含む。
【００３０】
いくつかの態様は、１つまたは複数のプロセッサによって実行可能である命令が記憶されたコンピュータ可読媒体を備える、ワイヤレス通信のためのコンピュータプログラム製品を提供する。本命令は、概して、プリコーディング行列インジケータ（ＰＭＩ）を備えるユーザ機器（ＵＥ）固有基準信号（ＲＳ）を生成するための命令と、チャネル送信中にランク指示（ＲＩ）を含めるための命令と、ＵＥ固有ＲＳとチャネル送信とをアクセス端末に送信するための命令とを含む。
【００３１】
いくつかの態様は、１つまたは複数のプロセッサによって実行可能である命令が記憶されたコンピュータ可読媒体を備える、ワイヤレス通信のためのコンピュータプログラム製品を提供する。本命令は、概して、プリコーディング行列インジケータ（ＰＭＩ）を備えるユーザ機器（ＵＥ）固有基準信号（ＲＳ）を受信するための命令と、ランク指示（ＲＩ）を備えるチャネル送信を受信するための命令と、受信されたＵＥ固有ＲＳからＰＭＩを検出するための命令と、受信されたチャネル送信からＲＩを検出するための命令と、検出されたＰＭＩとＲＩとをアップリンク送信において利用するための命令とを含む。
【００３２】
いくつかの態様は、ワイヤレス通信のための装置を提供する。本装置は、概して、コードブックを使用して少なくとも１つのランク指示（ＲＩ）と少なくとも１つのプリコーディング行列インジケータ（ＰＭＩ）とをジョイントコーディングし、ジョイント符号化されたＲＩとＰＭＩとをアクセス端末に送信するように構成された少なくとも１つのプロセッサと、少なくとも１つのプロセッサに結合されたメモリとを含む。
【００３３】
いくつかの態様は、ワイヤレス通信のための装置を提供する。本装置は、概して、ジョイント符号化されたランク指示（ＲＩ）とプリコーディング行列インジケータ（ＰＭＩ）とを受信し、ＲＩとＰＭＩとを判断するためにコードブックを使用してジョイント符号化されたＲＩとＰＭＩとを復号し、判断されたＲＩとＰＭＩとをアップリンク送信において使用するように構成された少なくとも１つのプロセッサと、少なくとも１つのプロセッサに結合されたメモリとを含む。
【００３４】
いくつかの態様は、ワイヤレス通信のための装置を提供する。本装置は、概して、アンプリコード基準信号（ＲＳ）を生成し、チャネル送信中にランク指示（ＲＩ）を含め、ＲＳとチャネル送信とをアクセス端末に送信するように構成された少なくとも１つのプロセッサと、少なくとも１つのプロセッサに結合されたメモリとを含む。
【００３５】
いくつかの態様は、ワイヤレス通信のための装置を提供する。本装置は、概して、アンプリコード基準信号（ＲＳ）を受信し、ランク指示（ＲＩ）を備えるチャネル送信を受信し、受信されたアンプリコードＲＳからプリコーディング行列インジケータ（ＰＭＩ）を判断し、受信されたチャネル送信からＲＩを検出し、判断されたＰＭＩと検出されたＲＩとをアップリンク送信において使用するように構成された少なくとも１つのプロセッサと、少なくとも１つのプロセッサに結合されたメモリとを含む。
【００３６】
いくつかの態様は、ワイヤレス通信のための装置を提供する。本装置は、概して、プリコーディング行列インジケータ（ＰＭＩ）を備えるユーザ機器（ＵＥ）固有基準信号（ＲＳ）を生成し、チャネル送信中にランク指示（ＲＩ）を含め、ＵＥ固有ＲＳとチャネル送信とをアクセス端末に送信するように構成された少なくとも１つのプロセッサと、少なくとも１つのプロセッサに結合されたメモリとを含む。
【００３７】
いくつかの態様は、ワイヤレス通信のための装置を提供する。本装置は、概して、プリコーディング行列インジケータ（ＰＭＩ）を備えるユーザ機器（ＵＥ）固有基準信号（ＲＳ）を受信し、ランク指示（ＲＩ）を備えるチャネル送信を受信し、受信されたＵＥ固有ＲＳからＰＭＩを検出し、受信されたチャネル送信からＲＩを検出し、検出されたＰＭＩとＲＩとをアップリンク送信において利用するように構成された少なくとも１つのプロセッサと、少なくとも１つのプロセッサに結合されたメモリとを含む。
【００３８】
本開示の上述の特徴を詳細に理解することができるように、添付の図面にその一部を示す態様を参照することによって、上記で簡単に要約したより具体的な説明を得ることがある。ただし、その説明は他の等しく有効な態様に通じ得るので、添付の図面は、本開示のいくつかの典型的な態様のみを示し、したがって、その範囲を限定するものと見なすべきではないことに留意されたい。
【図面の簡単な説明】
【００３９】
【図１】本開示のいくつかの態様による、例示的な多元接続ワイヤレス通信システムを示す図。
【図２】本開示のいくつかの態様による、アクセスポイントおよびユーザ端末のブロック図。
【図３】本開示のいくつかの態様による、ワイヤレスデバイスにおいて利用できる様々な構成要素を示す図。
【図４】本開示のいくつかの態様による、シグナリングを通信するためにアクセスポイントにおいて実行され得る例示的な動作を示す図。
【図４Ａ】図４に示す動作を実行することが可能な例示的な構成要素を示す図。
【図５】本開示のいくつかの態様による、シグナリングを通信するためにアクセス端末において実行され得る例示的な動作を示す図。
【図５Ａ】図５に示す動作を実行することが可能な例示的な構成要素を示す図。
【図６】本開示のいくつかの態様による、シグナリングを通信するためにアクセスポイントにおいて実行され得る例示的な動作を示す図。
【図６Ａ】図６に示す動作を実行することが可能な例示的な構成要素を示す図。
【図７】本開示のいくつかの態様による、アクセス端末において実行され得る例示的な動作を示す図。
【図７Ａ】図７に示す動作を実行することが可能な例示的な構成要素を示す図。
【図８】本開示のいくつかの態様による、アクセスポイントにおいて実行され得る例示的な動作を示す図。
【図８Ａ】図８に示す動作を実行することが可能な例示的な構成要素を示す図。
【図９】本開示のいくつかの態様による、アクセス端末において実行され得る例示的な動作を示す図。
【図９Ａ】図９に示す動作を実行することが可能な例示的な構成要素を示す図。
【発明を実施するための形態】
【００４０】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置が実現され得、または方法が実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施され得ることを理解されたい。
【００４１】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００４２】
本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００４３】
例示的なワイヤレス通信システム
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用され得る。「ネットワーク」および「システム」という用語は、しばしば互換的に使用される。ＣＤＭＡネットワークは、汎用地上波無線アクセス（ＵＴＲＡ）、ＣＤＭＡ２０００などの無線技術を実装し得る。ＵＴＲＡは、Ｗｉｄｅｂａｎｄ−ＣＤＭＡ（Ｗ−ＣＤＭＡ）および低チップレート（ＬＣＲ）を含む。ＣＤＭＡ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実装し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「第３世代パートナーシッププロジェクト２」（３ＧＰＰ２）という名称の組織からの文書に記載されている。
【００４４】
シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥおよびＥｖｏｌｖｅｄ  ＵＴＲＡにおけるアップリンク多元接続方式に関する実用的な前提である。
【００４５】
アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００４６】
アクセス端末（「ＡＴ」）は、アクセス端末、加入者局、加入者ユニット、移動局、リモート局、リモート端末、ユーザ端末、ユーザエージェント、ユーザデバイス、ユーザ機器（「ＵＥ」）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、娯楽デバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００４７】
図１を参照すると、一態様による多元接続ワイヤレス通信システムが示されている。アクセスポイント１００（ＡＰ）は複数のアンテナグループを含み、あるアンテナグループはアンテナ１０４と１０６とを含み得、別のアンテナグループはアンテナ１０８と１１０とを含み、追加のアンテナグループはアンテナ１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００４８】
アンテナの各グループ、および／またはアンテナが通信するために設計されたエリアは、しばしば、アクセスポイントのセクタと呼ばれる。本開示の一態様では、アンテナグループはそれぞれ、アクセスポイント１００によってカバーされるエリアのセクタ内でアクセス端末に通信するように設計され得る。
【００４９】
順方向リンク１２０および１２６上の通信では、アクセスポイント１００の送信アンテナは、異なるアクセス端末１１６および１２４に対して順方向リンクの信号対雑音比を改善するためにビーム形成を利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００５０】
図２に、多入力多出力（ＭＩＭＯ）システム２００における送信機システム２１０（アクセスポイントとしても知られる）および受信機システム２５０（アクセス端末としても知られる）の実施形態のブロック図を示す。送信機システム２１０において、いくつかのデータストリームのトラフィックデータがデータソース２１２から送信（ＴＸ）データプロセッサ２１４に供給される。
【００５１】
本開示の一態様では、各データストリームは、それぞれの送信アンテナを介して送信され得る。ＴＸデータプロセッサ２１４は、符号化データを与えるために、各データストリームのトラフィックデータを、そのデータストリーム用に選択された特定の符号化方式に基づいてフォーマットし、符号化し、インターリーブする。
【００５２】
各データストリームの符号化データは、ＯＦＤＭ技法を使用してパイロットデータで多重化され得る。パイロットデータは、典型的には、知られている方法で処理される知られているデータパターンであり、チャネル応答を推定するために受信機システムにおいて使用され得る。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ２３０によって実行される命令によって決定され得る。
【００５３】
次いで、すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭ用に）その変調シンボルを処理し得る。次いで、ＴＸ  ＭＩＭＯプロセッサ２２０は、ＮT個の変調シンボルストリームをＮT個の送信機（ＴＭＴＲ）２２２ａ〜２２２ｔに供給する。本開示のいくつかの態様では、ＴＸ  ＭＩＭＯプロセッサ２２０は、データストリームのシンボルと、シンボルの送信元のアンテナとにビームフォーミング重みを適用する。
【００５４】
各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機２２２ａ〜２２２ｔからのＮT個の変調信号は、それぞれＮT個のアンテナ２２４ａ〜２２４ｔから送信される。
【００５５】
受信機システム２５０では、送信された変調信号はＮR個のアンテナ２５２ａ〜２５２ｒによって受信され得、各アンテナ２５２からの受信信号は、それぞれの受信機（ＲＣＶＲ）２５４ａ〜２５４ｒに供給され得る。各受信機２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給し得る。
【００５６】
次いで、ＲＸデータプロセッサ２６０は、特定の受信機処理技法に基づいてＮR個の受信機２５４からＮR個の受信シンボルストリームを受信し、処理して、ＮT個の「検出」シンボルストリームを供給する。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。
【００５７】
プロセッサ２７０は、どのプリコーディング行列を使用すべきかを定期的に判断する。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００５８】
送信機システム２１０において、受信機システム２５０からの変調信号は、アンテナ２２４によって受信され、受信機２２２によって調整され、復調器２４０によって復調され、受信機システム２５０によって送信された逆方向リンクメッセージを抽出するためにＲＸデータプロセッサ２４２によって処理される。次いで、プロセッサ２３０は、ビームフォーミング重みを決定するためにどのプリコーディング行列を使用すべきかを決定し、抽出されたメッセージを処理する。
【００５９】
図３に、図１に示すワイヤレス通信システム内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は基地局１００、またはユーザ端末１１６および１２２であり得る。
【００６０】
ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は一般に、メモリ３０６内に記憶されたプログラム命令に基づいて、論理および演算動作を実行する。メモリ３０６中の命令は、本明細書で説明する方法を実装するために実行可能であり得る。
【００６１】
ワイヤレスデバイス３０２はまた、ワイヤレスデバイス３０２と遠隔地との間のデータの送信および受信を可能にするために送信機３１０と受信機３１２とを含むことができるハウジング３０８を含み得る。送信機３１０と受信機３１２とを組み合わせてトランシーバ３１４を形成し得る。単一または複数の送信アンテナ３１６は、ハウジング３０８に取り付けられ、トランシーバ３１４に電気的に結合され得る。ワイヤレスデバイス３０２は、複数の送信機、複数の受信機、複数のトランシーバをも含み得る（図示せず）。
【００６２】
ワイヤレスデバイス３０２は、トランシーバ３１４によって受信された信号のレベルを検出および定量化するために使用できる信号検出器３１８をも含み得る。信号検出器３１８は、総エネルギー、シンボルごとのサブキャリア当たりのエネルギー、電力スペクトル密度および他の信号などの信号を検出し得る。ワイヤレスデバイス３０２は、信号を処理する際に使用するためのデジタル信号プロセッサ（ＤＳＰ）３２０を含み得る。
【００６３】
ワイヤレスデバイス３０２の様々な構成要素は、データバスに加えて、パワーバス、制御信号バス、およびステータス信号バスを含むことができるバスシステム３２２によって一緒に結合され得る。
【００６４】
本開示の一態様では、論理ワイヤレス通信チャネルは、制御チャネルとトラフィックチャネルとに分類され得る。論理制御チャネルは、システム制御情報をブロードキャストするためのダウンリンク（ＤＬ）チャネルであるブロードキャスト制御チャネル（ＢＣＣＨ）を備え得る。ページング制御チャネル（ＰＣＣＨ）は、ページング情報を転送するＤＬ論理制御チャネルである。マルチキャスト制御チャネル（ＭＣＣＨ）は、１つまたは複数のマルチキャストトラフィックチャネル（ＭＴＣＨ）についてのマルチメディアブロードキャストおよびマルチキャストサービス（ＭＢＭＳ）のスケジューリングおよび制御情報を送信するために使用されるポイントツーマルチポイントＤＬ論理制御チャネルである。概して、無線リソース制御（ＲＲＣ）接続を確立した後、ＭＣＣＨは、ＭＢＭＳを受信するユーザ端末によって使用されるだけであり得る。専用制御チャネル（ＤＣＣＨ）は、専用制御情報を送信するポイントツーポイント双方向論理制御チャネルであり、ＲＲＣ接続を有するユーザ端末によって使用される。論理トラフィックチャネルは、ユーザ情報を転送するための１つのユーザ端末に専用のポイントツーポイント双方向チャネルである専用トラフィックチャネル（ＤＴＣＨ）を備え得る。さらに、論理トラフィックチャネルは、トラフィックデータを送信するためのポイントツーマルチポイントＤＬチャネルであるマルチキャストトラフィックチャネル（ＭＴＣＨ）を備え得る。
【００６５】
トランスポートチャネルは、ＤＬチャネルとＵＬチャネルとに分類され得る。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備え得る。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備え得る。
【００６６】
ＰＨＹチャネルは、ＤＬチャネルとＵＬチャネルとのセットを備え得る。ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、負荷インジケータチャネル（ＬＩＣＨ）を備え得る。ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）を備え得る。
【００６７】
ＬＴＥ−Ａ  ＭＩＭＯ動作のためのランク指示およびプリコーディング指示
ＬＴＥでは、送信ダイバーシティ、ビームフォーミング、空間多重化などのために複数の送信アンテナ方式が採用され得る。一般に、そのようなＭＩＭＯ動作は、ＡＰからＡＴへのダウンリンク送信上で採用され得るが、ＬＴＥ−Ａｄｖａｎｃｅｄなどの高度通信システムは、アップリンク上でもＭＩＭＯ動作を採用することを企図する。いくつかの態様によれば、アップリンクＭＩＭＯ動作は、ＬＴＥのダウンリンクＭＩＭＯ動作と同様であり得る。たとえば、アップリンクＭＩＭＯは、ＬＴＥ  Ｒｅｌ−８において指定されているように、ダウンリンクＭＩＭＯと同様のコードワードレイヤマッピングを採用することができる。別の例では、ハイブリッド自動再送要求（ＨＡＲＱ）パラメータの空間バンドリングが利用され得る。たとえば、単一の共有ダウンリンク肯定応答／否定応答は、共有新規データインジケータ（ＮＤＩ）および冗長性バージョン（ＲＶ）と同様に、物理ＨＡＲＱインジケータチャネル（ＰＨＩＣＨ）上で採用され得る。別の例では、１つまたは２つの変調および符号化方式（ＭＤ）フィールドが採用され得る。時間領域におけるレイヤシフトも採用され得る。
【００６８】
いくつかの態様によれば、アップリンクＭＩＭＯ動作はプリコーディングを採用し得る。周波数分割複信（ＦＤＤ）方式を採用しているシステムでは、コードブックベースプリコーディングが利用され得る。一例では、アップリンクコンポーネントキャリアごとに単一の送信プリコーディング行列インジケータ（ＰＭＩ）が利用され得る。アップリンクＭＩＭＯ動作において使用されるとき、ＰＭＩは、所与の無線状態に対してＡＴにおいて使用されるべき好適なプリコーディング行列の指示である。ＰＭＩはコードブックテーブルを指すことがある。一態様では、フルランク送信のために、識別プリコーディングをもつサイズ１コードブックが利用され得る。別の態様では動的ランク適応が採用され得る。２アンテナ構成をもつＭＩＭＯシステムでは、レイヤ１および２のための７つのエントリを有するコードブックが採用され得る。４アンテナ構成をもつＭＩＭＯシステムでは、６４個以下のエントリを有するコードブックが使用され得る。コードブック中のエントリの総サイズは、２送信機構成では８であり、４アンテナ構成では６４（すなわち６ビットコードブック）未満であるので、ランクインジケータ（ＲＩ）がＰＭＩとともに示され得ると推論することができる。複数のＰＭＩが利用され得、コンポーネントキャリア中の周波数選択性プリコーディングが利用され得ることが諒解される。
【００６９】
図４に、本開示のいくつかの態様による、アップリンク送信のためのチャネルフィードバックをＡＴに通信するためにＡＰにおいて実行され得る例示的な動作４００を示す。４０２において、ＡＰは、コードブックを使用して、ランク指示（ＲＩ）とプリコーディング行列インジケータ（ＰＭＩ）とをジョイントコーディングし得る。一態様では、任意の好適な手段を使用して、たとえば、ＲＩとＰＭＩとの連結を通して、ＲＩおよびＰＭＩがジョイントコーディングされる。４０４において、ＡＰは、ジョイント符号化されたＲＩとＰＭＩとをＡＴに送信し得る。
【００７０】
図５に、アップリンク送信のためのチャネルフィードバックを通信するためにＡＴにおいて実行され得る例示的な動作５００を示す。５０２において、ＡＴは、ジョイント符号化されたＲＩとＰＭとを受信し得る。５０４において、ＡＴは、コードブックを使用してＲＩとＰＭＩとを判断するために、受信された、ジョイント符号化されたＲＩとＰＭＩとを復号し得る。５０６において、ＡＴは、判断されたＲＩとＰＭＩとをアップリンク送信のために使用し得る。
【００７１】
アップリンク送信におけるランク指示とコードブックベースプリコーディングはいくつかの手法を備え得ることが企図される。一態様では、コンポーネントキャリアごとに単一のＰＭＩと単一のＲＩとが符号化され得る。ＲＩはＰＭＩとジョイントコーディングされ得、ＰＭＩは、コンポーネントキャリアごとにＲＩと関連するプリコーディングベクトル／行列とを示す。多重コンポーネントキャリアが採用された場合、各コンポーネントキャリア上でＰＭＩとＲＩとをシグナリングするために複数のＰＭＩが使用され得る。このシナリオは、単一のＰＭＩがすべてのコンポーネントキャリアに適用される特殊な場合を含む。
【００７２】
パフォーマンスは、コンポーネントキャリア間の何らかの共通性を仮定することによって獲得され得る。いくつかの態様によれば、コンポーネントキャリアごとに複数のＰＭＩと単一のランクとが採用され得る。ＲＩはＰＭＩとジョイント符号化され、ＰＭＩは、ランクと関連するプリコーディングベクトル／行列とを示す。この手法はランクの冗長シグナリングを生じ得ることが確認される。この手法によって生じるオーバーヘッドを低減するために、差動ＰＭＩシグナリングが採用され得る。一態様では、ＲＩは個々にシグナリングされ得、ＰＭＩは、関連するランクをもつプリコーダインデックスをシグナリングし得る。ただし、ランクごとのプリコーダの数が同じでないとき、必要とされるビット数は最悪シナリオによって判断され得る。
【００７３】
いくつかの態様によれば、コンポーネントキャリアごとに単一のＰＭＩがシグナリングされ得、すべてのコンポーネントキャリア上で単一のＲＩが使用され得る。ＲＩはコンポーネントキャリアごとにＰＭＩとジョイントコーディングされ、ＰＭＩは、コンポーネントキャリアごとのＲＩと関連するプリコーディングベクトル／行列とを示す。この手法はＲＩ指示中にわずかな冗長性を生じ得る。ランクは個々にシグナリングされ得、ＰＭＩは、関連するランク内のプリコーダインデックスをシグナリングする。ただし、ランクごとのプリコーダの数が同じでないとき、上述の手法と同様に、必要とされるビット数は最悪シナリオによって判断され得る。別の手法では、すべてのコンポーネントキャリアにわたって単一のＰＭＩと単一のＲＩとが採用され得る。ＲＩはＰＭＩとジョイントコーディングされ、ＰＭＩは、コンポーネントキャリアごとのランクと関連するプリコーディングベクトル／行列とを示す。この手法は、帯域幅の同じセグメント内のコンポーネントキャリアにわたって何らかのランク共通性が存在する状況において採用されるのが最善であり得る。
【００７４】
いくつかの態様によれば、通常、単一のＰＭＩおよび単一のＲＩがまたすべてのコンポーネントキャリアにわたってシグナリングされ得、その後、異なるＰＭＩおよびＲＩを選好するコンポーネントキャリアのために、「デルタ」ＰＭＩおよびＲＩがシグナリングされ得る。
【００７５】
ＭＩＭＯシステムは、アップリンクにおいて、説明した手法のうちの２つ以上を採用し得ることが企図される。ＡＴは、アップリンク送信のための少なくとも１つの手法を用いて（レイヤ３を介して）構成され得るか、または（レイヤ２を介して）指示され得る。構成および指示は、半静的または動的であり得、ＵＥ固有およびセル固有であり得る。
【００７６】
時分割複信（ＴＤＤ）方式を使用するシステムでは、非コードブックプリコーディングが採用され得る。ＰＭＩは、ダウンリンク制御情報（ＤＣＩ）中で明確にシグナリングされないことがある。そうではなく、ＴＤＤ中のチャネル相反性を仮定すると、ＡＰは、ＡＴからのアンプリコード基準信号（ＲＳ）に基づいて、チャネル推定および復調を実行することができる。
【００７７】
ＡＴからのＤＣＩ送信によって使用されるプリコーダは、ＡＰによって選好され得るプリコーダとは異なり得ることが確認される。この相異は、チャネル変動と、チャネル推定アルゴリズムと、チャネル推定を実行するために使用される基準信号中の差異とに起因する、ＡＰとＡＴの両方からの異なるチャネル推定に由来し得る。
【００７８】
図６に、本開示のいくつかの態様による、アップリンク送信のためのシグナリングをＡＴに通信するためにＡＰにおいて実行され得る例示的な動作６００を示す。６０２において、ＡＰはアンプリコードＲＳを生成し得る。６０４において、ＡＰは、ＲＳ中またはＤＣＩ中にＲＩを含め得る。６０６において、ＡＰは、ＲＳとＤＣＩとをＡＴに送信し得る。一態様では、ＡＰは、任意の好適な手段を通して、たとえば、制御チャネルを通してＲＳとＤＣＩとを送信し得る。
【００７９】
図７に、本開示のいくつかの態様による、アップリンク送信のためのシグナリングを通信するためにＡＴにおいて実行され得る例示的な動作７００を示す。７０２において、ＡＴは、ＲＩを随意に備えるアンプリコードＲＳを受信し得る。７０４において、ＡＴは、同じくＲＩを随意に備えるＤＣＩを受信し得る。７０６において、ＡＴは、受信されたＲＳからＰＭＩを判断し得る。いくつかの態様によれば、ＡＴは、チャネル相反性に基づいて、受信されたＲＳからＰＭＩを導出することによって、ＰＭＩを判断し得る。７０８において、ＡＴは、受信されたＲＳまたは受信されたＤＣＩのうちの少なくとも１つからＲＩを検出し得る。７１０において、ＡＴは、アップリンク送信のためにＰＭＩとＲＩとを利用する。
【００８０】
アップリンクＤＣＩフォーマットでシグナリングされないことがあるＰＭＩとは異なり、ＲＩは、ＤＣＩ中で明示的にシグナリングされるか、またはＰＭＩとともに一緒にシグナリングされ、その後アンプリコードＲＳから推定されるかのいずれかであり得る。一態様では、ＲＩはＤＣＩフォーマットで明示的にシグナリングされる。シグナリングされたＲＩに基づいて、ＡＴは、好適なプリコーダを発見し得、好適なプリコーダに基づいてＵＬを送信し得る。別の態様では、ＡＰは、受信されたアンプリコードＲＳに基づいてＲＩを推定し得る。
【００８１】
いくつかの態様によれば、ＲＩ推定は「ブラインド」ＲＩ検出と組み合わせられ得る。ＡＰは、各候補推定ＲＩを仮説として仮定してアップリンクデータ送信を復号することを試みるために、様々な候補推定ＲＩを採用し得る。パケットが送信を復号するか、または送信の最大数に達するまで、ＡＰは、送信ごとに可能なＲＩの尤度比（ＬＬＲ）の対数を記憶し得る。この手法は、ＬＬＲのためのバッファを管理することによる、ある程度の複雑さを招き得る。ＡＰおよびＡＴはまた、ＲＩ、リソースブロック割当ての数、および変調および符号化方式（ＭＣＳ）に基づくトランスポートブロックサイズ（ＴＢＳ）について同意し得る。一態様によれば、ＬＴＥ  Ｒｅｌ−８  ＴＢＳテーブルが採用され得る。ＲＩ推定およびブラインド検出を採用することがＰＨＩＣＨに影響を及ぼし得ることが確認される。ＡＣＫ／ＮＡＣＫのバンドリングがない場合、ＡＰはコードワードごとにＡＣＫを送る必要があり得、コードワードの数はＲＩに依存し得る。一態様によれば、ＡＰは、可能な最大ＲＩに基づいてＡＣＫ／ＮＡＣＫを送り得る。ＡＴは、その送信されたＲＩに基づいてＡＣＫ／ＮＡＣＫを復号することを選択し得る。これがＰＨＩＣＨリソース中のオーバーヘッド増加を生じ得ることが確認される。ＡＣＫ／ＮＡＣＫのバンドリングがある場合、ＲＩにかかわらず、単一のＡＣＫ／ＮＡＣＫで十分であり得る。
【００８２】
いくつかの態様によれば、ＵＥ固有ＲＳは、ＲＳ上に圧倒的オーバーヘッドを招くことなしに、より多くの送信機アンテナをサポートするＤＬのために利用され得る。ＵＥ固有ＲＳを採用すると、ＰＭＩは、ＤＬ  ＤＣＩフォーマットで明示的にシグナリングされる必要はないが、ＬＴＥ  Ｒｅｌ−８の場合のように、そのようにシグナリングされ得る。ランク指示は、アンプリコードＲＳに関して上記で説明したように同様にシグナリングされ得るかまたは指示され得る。
【００８３】
図８に、本開示のいくつかの態様による、シグナリングを通信するためにＡＰにおいて実行され得る例示的な動作８００を示す。８０２において、ＡＰは、ＰＭＩを備えるＵＥ固有基準信号（ＲＳ）を生成し得る。８０４において、ＡＰは、ＵＥ固有ＲＳ中またはＤＣＩ中にＲＩを含め得る。８０６において、ＡＰは、ＵＥ固有ＲＳとＤＣＩとをＡＴに送信し得る。
【００８４】
図９に、本開示のいくつかの態様による、シグナリングを通信するためにＡＴにおいて実行され得る例示的な動作９００を示す。９０２において、ＡＴは、ＰＭＩと随意にＲＩとを備えるＵＥ固有ＲＳを受信し得る。９０４において、ＡＴは、ＲＩを随意に備えるＤＣＩを受信し得る。９０６において、ＡＴは、受信されたＵＥ固有ＲＳからＰＭＩを検出し得る。９０８において、ＡＴは、受信されたＵＥ固有ＲＳから、またはＤＣＩからＲＩを検出し得る。９１０において、ＡＴは、検出されたＰＭＩとＲＩとをアップリンク送信において使用し得る。
【００８５】
いくつかの態様によれば、ＲＩは、ＤＣＩフォーマットで明示的にシグナリングされ得る。別の態様では、ＲＩは、プリコードされたＵＥ固有ＲＳから推定され得る。ＡＴは、受信されたＵＥ固有ＲＳに基づいてＲＩを検出するが、この推定は雑音が多くなり得る。アンプリコードＲＳに関して同様に説明したように、ＲＩ推定は「ブラインド」ＲＩ検出と組み合わせられ得、ＡＴは、各候補推定ＲＩを使用してＰＤＳＣＨを復号することを試みる。ブラインドＲＩ検出は、受信データが復号されるまで、または送信の最大数に達するまで、送信ごとに可能な各ＲＩのＬＬＲを記憶する必要があることにより、同様にＬＬＲバッファ管理における複雑さを招き得る。アップリンクＡＣＫ／ＮＡＣＫも、ＲＩ推定およびブラインド検出により影響を及ぼされる。ＡＣＫ／ＮＡＣＫバンドリングがない場合、コードワードごとにＡＣＫが送られ得、コードワードの数はＴＲＩに依存する。一態様によれば、可能な最大ＲＩに基づいてＡＣＫ／ＮＡＣＫが送られ得る。ＡＰは、その送信されたＲＩに基づいてＡＣＫ／ＮＡＣＫを復号することを選択し得る。一態様では、ＡＴはフォーマット２ｂを使用してＮＡＣＫを送り得、ＡＰはフォーマット２ａを使用して復号することを試み得る。ＡＣＫ／ＮＡＣＫ中には潜在的なパフォーマンス劣化があり得る。ＡＣＫ／ＮＡＣＫバンドリングがある場合、ＲＩにかかわらず、単一のＡＣＫ／ＮＡＣＫで十分であり得る。
【００８６】
上記で説明した手法は、送信の再送信または半永続的スケジュール（ＳＰＳ）を必要とする状況において追加の問題が起こり得ることが企図される。１つの具体的な例では、ＡＰが（ボイス通信などにおいて）正規サイズの頻繁な送信を予想し得る状況において、制御チャネル情報を毎回送ることは不経済であり得る。そのような状況では、異なるオプションが利用可能であり得る。
【００８７】
いくつかの態様によれば、特定の送信のために物理ダウンリンク制御チャネル（ＰＤＣＣＨ）送信が送られる状況において、ＲＩおよび／またはＰＭＩが明示的にシグナリングされるとき、ＡＴはＲＩおよび／またはＰＭＩを採用し得る。復号されている送信が最初の送信である場合、ＡＴはＴＢＳテーブルからＴＢＳを判断し得る。復号されている送信が再送信である場合、ＡＴはＰＤＣＣＨ中のＲＩおよびＰＭＩに従い得るが、最初の送信中で指示されたものと同じＴＢＳを使用し得る。
【００８８】
いくつかの態様によれば、特定の送信（すなわち非適応的再送信）のためにＰＤＣＣＨが送られない状況において、ＲＩが最新のＰＤＣＣＨ中に明示的にシグナリングされる場合、ＡＴは、最新のＰＤＣＣＨ中でシグナリングされたＲＩに従い得る。ＰＭＩは、現在の復調された基準信号（ＤＭ−ＲＳ）に基づいて検出され得る。いくつかの態様によれば、ＲＩおよび／またはＰＭＩが最新のＰＤＣＣＨ中で明示的にシグナリングされない場合、ＡＴは現在のＤＭ−ＲＳからＲＩおよび／またはＰＭＩを検出し得る。そのような状況では、ＲＩおよび／またはＰＭＩが送信ごとに変化し得ることが確認される。
【００８９】
上記で説明したＲＩおよびＰＭＩのシグナリングがＵＬにおいて空間分割多元接続（ＳＤＭＡ）動作に影響を及ぼし得ることも企図される。いくつかの態様によれば、ＲＩおよびＰＭＩがＰＤＣＣＨ中でシグナリングされた場合、ＡＴはシグナリングに従い得、それらがＳＤＭＡモードにあるかどうかは認識されないことがある。非コードブックベースプリコーディングで行われ得るように、ＲＩはシグナリングされたが、ＰＭＩはシグナリングされない場合、ＳＤＭＡ  ＡＴは同様のＰＭＩを選定し得、その結果、厳しい干渉を生じる。ＲＩもＰＭＩもシグナリングされない場合、ＳＤＭＡ  ＡＴは同様のＰＭＩを選定し得、その結果、厳しい干渉を生じ、ＳＤＭＡ  ＡＴは、それ自体のチャネル状態に基づいてＲＩを選定し得、これは、他のＡＴもリソースブロックの同じセット上でスケジュールされているときにはサポート可能でないことがある。この問題は、ＳＤＭＡユーザのための最大ＲＩを限定することによって部分的に緩和され得る。
【００９０】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、（１つまたは複数の）様々なハードウェアおよび／またはソフトウェア構成要素および／または（１つまたは複数の）モジュールを含み得る。一般に、図に示す動作がある場合、それらの動作は、同様の番号をもつ対応するカウンターパートのミーンズプラスファンクション構成要素を有し得る。たとえば、図４に示すブロック４０２〜４０４は、図４Ａに示すミーンズプラスファンクションブロック４０２Ａ〜４０４Ａに対応する。
【００９１】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選出、確立などを含み得る。
【００９２】
本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００９３】
上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。一般に、図に示すどの動作も、その動作を実行することが可能な対応する機能的手段によって実行され得る。
【００９４】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００９５】
本開示に関連して説明した方法またはアルゴリズムのステップは、直接ハードウェアか、プロセッサによって実行されるソフトウェアモジュールか、またはその２つの組合せで実施され得る。ソフトウェアモジュールは、当技術分野で知られている任意の形式の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００９６】
本明細書で開示する方法は、説明した方法を達成するための１つまたは複数のステップまたはアクションを備える。本方法のステップおよび／またはアクションは、特許請求の範囲の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００９７】
説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用され得、コンピュータによってアクセスされ得る任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【００９８】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００９９】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１００】
さらに、本明細書に記載の方法および技法を実行するためのモジュールおよび／または他の適切な手段は、適用可能な場合にユーザ端末および／または基地局によってダウンロードおよび／または他の方法で取得され得ることを諒解されたい。たとえば、本明細書で説明した方法を実行するための手段の転送を可能にするために、そのようなデバイスをサーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供され得る。さらに、本明細書で説明する方法および技法をデバイスに与えるための任意の他の適切な技法を利用することができる。
【０１０１】
特許請求の範囲は、上記の正確な構成および構成要素に限定されないことを理解されたい。上記の方法および装置の構成、動作および詳細において、特許請求の範囲から逸脱することなく、様々な改変、変更および変形が行われ得る。
【０１０２】
上記は本開示の態様を対象とするが、本開示の他の態様およびさらなる態様は、その基本的範囲から逸脱することなく考案され得、その範囲は以下の特許請求の範囲によって判断される。
以下に本件出願当初の特許請求の範囲に記載された発明を付記する。
（１）アップリンク送信のためのシグナリングを通信するための方法であって、
コードブックを使用して少なくとも１つのランク指示（ＲＩ）と少なくとも１つのプリコーディング行列インジケータ（ＰＭＩ）とをジョイントコーディングすることと、
前記ジョイント符号化されたＲＩとＰＭＩとをアクセス端末に送信することと
を備える方法。
（２）前記ＲＩが、コンポーネントキャリアごとに前記ＰＭＩとジョイントコーディングされる、（１）に記載の方法。
（３）ジョイントコーディングすることが、コンポーネントキャリアごとに複数のＰＭＩと前記ＲＩとをジョイント符号化することをさらに備える、（１）に記載の方法。
（４）アップリンク送信のためのシグナリングを通信するための方法であって、
ジョイント符号化されたランク指示（ＲＩ）とプリコーディング行列インジケータ（ＰＭＩ）とを受信することと、
ＲＩとＰＭＩとを判断するために、コードブックを使用して前記ジョイント符号化されたＲＩとＰＭＩとを復号することと、
前記判断されたＲＩとＰＭＩとをアップリンク送信において使用することと
を備える方法。
（５）前記判断されたＲＩとＰＭＩとが、コンポーネントキャリアごとの複数のＰＭＩと、コンポーネントキャリアごとの少なくとも１つのＲＩとを備える、（４）に記載の方法。
（６）コードブックを使用して少なくとも１つのランク指示（ＲＩ）と少なくとも１つのプリコーディング行列インジケータ（ＰＭＩ）とをジョイントコーディングするための論理と、
前記ジョイント符号化されたＲＩとＰＭＩとをアクセス端末に送信するための論理と
を備える、ワイヤレス通信のための装置。
（７）前記ＲＩが、コンポーネントキャリアごとに前記ＰＭＩとジョイントコーディングされる、（６）に記載の装置。
（８）ジョイントコーディングするための前記論理が、コンポーネントキャリアごとに複数のＰＭＩと前記ＲＩとをジョイント符号化するための論理をさらに備える、（６）に記載の装置。
（９）ジョイント符号化されたランク指示（ＲＩ）とプリコーディング行列インジケータ（ＰＭＩ）とを受信するための論理と、
ＲＩとＰＭＩとを判断するために、コードブックを使用して前記ジョイント符号化されたＲＩとＰＭＩとを復号するための論理と、
前記判断されたＲＩとＰＭＩとをアップリンク送信において使用するための論理と
を備える、ワイヤレス通信のための装置。
（１０）前記判断されたＲＩとＰＭＩとが、コンポーネントキャリアごとの複数のＰＭＩと、コンポーネントキャリアごとの少なくとも１つのＲＩとを備える、（９）に記載の装置。
（１１）コードブックを使用して少なくとも１つのランク指示（ＲＩ）と少なくとも１つのプリコーディング行列インジケータ（ＰＭＩ）とをジョイントコーディングするための手段と、
前記ジョイント符号化されたＲＩとＰＭＩとをアクセス端末に送信するための手段と
を備える、ワイヤレス通信のための装置。
（１２）前記ＲＩが、コンポーネントキャリアごとに前記ＰＭＩとジョイントコーディングされる、（１１）に記載の装置。
（１３）ジョイントコーディングするための前記手段が、コンポーネントキャリアごとに複数のＰＭＩと前記ＲＩとをジョイント符号化するための手段をさらに備える、（１１）に記載の装置。
（１４）ジョイント符号化されたランク指示（ＲＩ）とプリコーディング行列インジケータ（ＰＭＩ）とを受信するための手段と、
ＲＩとＰＭＩとを判断するために、コードブックを使用して前記ジョイント符号化されたＲＩとＰＭＩとを復号するための手段と、
前記判断されたＲＩとＰＭＩとをアップリンク送信において使用するための手段と
を備える、ワイヤレス通信のための装置。
（１５）前記判断されたＲＩとＰＭＩとが、
コンポーネントキャリアごとの複数のＰＭＩと、コンポーネントキャリアごとの少なくとも１つのＲＩとを備える、（１４）に記載の装置。
（１６）１つまたは複数のプロセッサによって実行可能である命令が記憶されたコンピュータ可読媒体を備え、前記命令が、
コードブックを使用して少なくとも１つのランク指示（ＲＩ）と少なくとも１つのプリコーディング行列インジケータ（ＰＭＩ）とをジョイントコーディングするための命令と、
前記ジョイント符号化されたＲＩとＰＭＩとをアクセス端末に送信するための命令と
を備える、ワイヤレス通信のためのコンピュータプログラム製品。
（１７）前記ＲＩが、コンポーネントキャリアごとに前記ＰＭＩとジョイントコーディングされる、（１６）に記載のコンピュータプログラム製品。
（１８）ジョイントコーディングするための前記命令が、コンポーネントキャリアごとに複数のＰＭＩと前記ＲＩとをジョイント符号化するための命令をさらに備える、（１６）に記載のコンピュータプログラム製品。
（１９）１つまたは複数のプロセッサによって実行可能である命令が記憶されたコンピュータ可読媒体を備え、前記命令が、
ジョイント符号化されたランク指示（ＲＩ）とプリコーディング行列インジケータ（ＰＭＩ）とを受信するための命令と、
ＲＩとＰＭＩとを判断するために、コードブックを使用して前記ジョイント符号化されたＲＩとＰＭＩとを復号するための命令と、
前記判断されたＲＩとＰＭＩとをアップリンク送信において使用するための命令と
を備える、ワイヤレス通信のためのコンピュータプログラム製品。
（２０）前記判断されたＲＩとＰＭＩとが、コンポーネントキャリアごとの複数のＰＭＩと、コンポーネントキャリアごとの少なくとも１つのＲＩとを備える、（１９）に記載のコンピュータプログラム製品。
（２１）コードブックを使用して少なくとも１つのランク指示（ＲＩ）と少なくとも１つのプリコーディング行列インジケータ（ＰＭＩ）とをジョイントコーディングすることと、
前記ジョイント符号化されたＲＩとＰＭＩとをアクセス端末に送信することと
を行うように構成された少なくとも１つのプロセッサと、
前記少なくとも１つのプロセッサに結合されたメモリと
を備える、ワイヤレス通信のための装置。
（２２）前記ＲＩが、コンポーネントキャリアごとに前記ＰＭＩとジョイントコーディングされる、（２１）に記載の装置。
（２３）ジョイントコーディングすることが、コンポーネントキャリアごとに複数のＰＭＩと前記ＲＩとをジョイント符号化することをさらに備える、（２１）に記載の装置。
（２４）ジョイント符号化されたランク指示（ＲＩ）とプリコーディング行列インジケータ（ＰＭＩ）とを受信することと、
ＲＩとＰＭＩとを判断するために、コードブックを使用して前記ジョイント符号化されたＲＩとＰＭＩとを復号することと、
前記判断されたＲＩとＰＭＩとをアップリンク送信において使用することと
を行うように構成された少なくとも１つのプロセッサと、
前記少なくとも１つのプロセッサに結合されたメモリと
を備える、ワイヤレス通信のための装置。
（２５）前記判断されたＲＩとＰＭＩとが、コンポーネントキャリアごとの複数のＰＭＩと、コンポーネントキャリアごとの少なくとも１つのＲＩとを備える、（２４）に記載の装置。
【図１】
0005475108.tif 000002
【図２】
0005475108.tif 000003
【図３】
0005475108.tif 000004
【図４】
0005475108.tif 000005
【図４Ａ】
0005475108.tif 000006
【図５】
0005475108.tif 000007
【図５Ａ】
0005475108.tif 000008
【図６】
0005475108.tif 000009
【図６Ａ】
0005475108.tif 000010
【図７】
0005475108.tif 000011
【図７Ａ】
0005475108.tif 000012
【図８】
0005475108.tif 000013
【図８Ａ】
0005475108.tif 000014
【図９】
0005475108.tif 000015
【図９Ａ】
0005475108.tif 000016